(57)【要約】【課題】記録媒体を傷つけることなく機器本体の中央に確実に搬送できる情報処理装置を提供する。【解決手段】情報処理装置としてのＣＤプレーヤ１は機器本体と機器本体に記録媒体としてのＣＤ２を出し入れする搬送ユニット５を備えている。搬送ユニット５は搬送ローラ２５とディスクガイド２４を備えている。搬送ローラ２５はモータにより回転駆動される。ディスクガイド２４はガイド本体２８と弾性ローラ２９と滑りローラ３０を備えている。ガイド本体２８は搬送ローラ２５と間隔をあけて配置されている。弾性ローラ２９はガイド本体２８に回転自在に設けられ搬送ローラ２５よりも機器本体の外側寄りに配置されている。滑りローラ３０はガイド本体２８に回転自在に設けられ搬送ローラ２５よりも機器本体の奥寄りに配置されている。【選択図】図７
2008269740.tif 000002
【特許請求の範囲】
【請求項１】
機器本体と、
前記機器本体内に記録媒体を出し入れする搬送ユニットとを備えた情報処理装置において、
前記搬送ユニットは、
駆動源からの駆動力により回転駆動される搬送ローラと、
前記搬送ローラとの間に前記記録媒体を位置付けて、前記記録媒体を案内するディスクガイドと、を備え、
前記ディスクガイドが、
弾性を有する合成樹脂で構成されかつ前記記録媒体の外表面と接触して当該記録媒体の移動とともに回転する弾性ローラと、硬質な合成樹脂で構成されかつ前記記録媒体の外表面と接触して当該記録媒体の外周面に対して滑る滑り部材と、を備え、
前記機器本体の平面視において、前記搬送ローラよりも前記機器本体の奥寄りに前記弾性ローラと前記滑り部材とのうち一方が設けられ、前記搬送ローラよりも前記機器本体の外側寄りに前記弾性ローラと前記滑り部材とのうち他方が設けられていることを特徴とする情報処理装置。
【請求項２】
前記弾性ローラが、前記滑り部材よりも前記搬送ローラの軸方向の中央寄りに配置されていることを特徴とする請求項１記載の情報処理装置。
【請求項３】
前記搬送ローラが、その軸方向の中央部が最も細く形成されかつ軸方向の端に向かうにしたがって徐々に太くなるように形成されているとともに、
前記弾性ローラが、前記搬送ローラに沿うように前記記録媒体を変形させる位置に配置されていることを特徴とする請求項１又は請求項２記載の情報処理装置。
【請求項４】
前記滑り部材が、前記搬送ローラの軸方向の端に向かうにしたがって前記搬送ローラにむかって突出する突出量が徐々に大きくなるように形成されていることを特徴とする請求項１乃至請求項３のうちいずれか一項に記載の情報処理装置。
【請求項５】
前記滑り部材が、前記搬送ローラの軸方向と平行な軸芯回りに回転自在に設けられていることを特徴とする請求項１乃至請求項４のうちいずれか一項に記載の情報処理装置。
【発明の詳細な説明】
【技術分野】
【０００１】
本発明は、例えば、Compact Discなどの記録媒体から情報を読み出す情報処理装置に関する。
【背景技術】
【０００２】
例えば、移動体としての自動車のインストルメントパネル（以下インパネと呼ぶ）には、情報処理装置としてのＣＤプレーヤが取り付けられる。ＣＤプレーヤは、記録媒体としてのCompact Disc（以下ＣＤと呼ぶ）が記録した情報を読み出す。
【０００３】
ＣＤプレーヤは、前記インパネに取り付けられる機器本体と、前記機器本体に開口した記録媒体挿入口と、ＣＤを機器本体の内外に出し入れする搬送ユニットと、前記ＣＤに記録された情報を読み出すための再生ユニットとを備えている。機器本体は、扁平な箱状に形成されている。記録媒体挿入口は、内側に前記ＣＤが通される。
【０００４】
搬送ユニットは、記録媒体挿入口内を通されたＣＤを所定の再生位置まで搬送したり、前記再生位置からＣＤを記録媒体挿入口まで搬送して該ＣＤを機器本体内から排出する。再生ユニットは、機器本体内に収容されたＣＤから情報を読み出して音声として出力する。
【０００５】
前述した搬送ユニットとして、例えば、図１（ａ）及び図１（ｂ）に示された搬送ユニット１０１が用いられてきた。搬送ユニット１０１は、例えば、図１（ａ）及び図１（ｂ）に示すように、駆動源としてのモータによって回転駆動される搬送ローラ１０２と、この搬送ローラ１０２との間にＣＤを挟む平板状のディスクガイド１０３とを備えている。搬送ローラ１０２は、ゴムなどの弾性を有する合成樹脂で構成され、かつ軸方向の中央が最も細く軸方向の端に向かうにしたがって徐々に太くなるようにテーパ状に形成されている。
【０００６】
ディスクガイド１０３は、硬質（殆ど弾性変形しない）でかつＣＤとの摩擦係数の小さい合成樹脂で構成され、かつ平板状のガイド本体１０４と、該ガイド本体１０４から搬送ローラ１０２に向かって凸のガイドリブ１０５とを備えている。ガイドリブ１０５は、搬送ローラ１０２の軸方向の中央のガイド本体１０４から突出量が最も少なくかつ搬送ローラ１０２の軸方向の端に向かうにしたがってガイド本体１０４から突出量が徐々に増加するように、テーパ状に形成されている。そして、このガイドリブ１０５の形状に基づいて、機器本体の内外に出し入れする際におけるＣＤの位置毎の姿勢が定まる。
【０００７】
また、前述した搬送ユニットとして、例えば、図２（ａ）、図２（ｂ）及び図２（ｃ）に示された搬送ユニット１０６が用いられてきた。搬送ユニット１０６は、例えば、図２（ａ）、図２（ｂ）及び図２（ｃ）に示すように、駆動源としてのモータによって回転駆動される搬送ローラ１０２と、この搬送ローラ１０２との間にＣＤを挟む複数の弾性ローラ１０７とを備えている。搬送ローラ１０２は、ゴムなどの弾性を有する合成樹脂で構成され、かつ軸方向の中央が最も細く軸方向の端に向かうにしたがって徐々に太くなるようにテーパ状に形成されている。
【０００８】
弾性ローラ１０７は、ゴムなどの弾性を有する合成樹脂で構成され、図示例では、四つ設けられている。弾性ローラ１０７は、ＣＤプレーヤの平面視において、搬送ローラ１０２の軸方向とＣＤの搬送方向との双方に沿って間隔をあけて配置されている。また、弾性ローラ１０７は、搬送ローラ１０２との間のＣＤを該搬送ローラ１０２に向かって押圧して、当該ＣＤを搬送ローラ１０２に沿うように変形させる位置に配置されている。弾性ローラ１０７は、勿論、回転自在に設けられ、搬送ローラ１０２の回転駆動によってＣＤが移動すると、このＣＤの移動ととともに軸芯周りに回転する。
【０００９】
従来のＣＤプレーヤは、前述した搬送ユニット１０１，１０６によってＣＤを機器本体に出し入れしてきた。
【発明の開示】
【発明が解決しようとする課題】
【００１０】
前述した搬送ユニット１０１は、ＣＤを搬送する際に、当該ＣＤの中央部がディスクガイド１０３に当接して、特に、ＣＤの中央部が傷つき易いという問題があった。また、機器本体を薄型に構成する際はガイドリブ１０５とＣＤとの相対角度を小さく設定する必要があるが、振動等の外部要因や部品の形状ばらつき等によっては両者の相対角度が平行に近くなることがあり、ガイドリブ１０５の稜線がＣＤに点ではなく線で接触してＣＤの縁部付近が傷つくという問題があった。
【００１１】
また、前述した搬送ユニット１０６は、弾性ローラ１０７を前述したように配置したために、ＣＤを搬送する際に当該ＣＤを搬送ローラ１０２の軸方向に対して直交する方向以外に移動させることが不可能であって、機器本体の中央にＣＤを案内しにくいという問題があった。前述した搬送ユニット１０６は、外径が１２ｃｍのＣＤと８ｃｍのＣＤとの双方を再生可能なＣＤプレーヤに用いられると、特に、外径が８ｃｍのＣＤを機器本体の中央に案内することが不可能であった。また、機器本体を薄型に構成する際は機器本体内の微小な空間をＣＤが移動するため、搬送中のＣＤの姿勢を変化させることが重要であるが、上記の弾性ローラ１０７と搬送ローラ１０２とでＣＤの姿勢が完全に定まると、機器本体の内外に出し入れする際のＣＤの姿勢を変化させることが困難であった。
【００１２】
したがって、本発明の目的は、例えば、記録媒体を傷つけることなく機器本体の中央に確実に搬送できる情報処理装置を提供することにある。
【課題を解決するための手段】
【００１３】
前記課題を解決し目的を達成するために、請求項１に記載の本発明の情報処理装置は、機器本体と、前記機器本体内に記録媒体を出し入れする搬送ユニットとを備えた情報処理装置において、前記搬送ユニットは、駆動源からの駆動力により回転駆動される搬送ローラと、前記搬送ローラとの間に前記記録媒体を位置付けて、前記記録媒体を案内するディスクガイドと、を備え、前記ディスクガイドが、弾性を有する合成樹脂で構成されかつ前記記録媒体の外表面と接触して当該記録媒体の移動とともに回転する弾性ローラと、硬質な合成樹脂で構成されかつ前記記録媒体の外表面と接触して当該記録媒体の外周面に対して滑る滑り部材と、を備え、前記機器本体の平面視において、前記搬送ローラよりも前記機器本体の奥寄りに前記弾性ローラと前記滑り部材とのうち一方が設けられ、前記搬送ローラよりも前記機器本体の外側寄りに前記弾性ローラと前記滑り部材とのうち他方が設けられていることを特徴としている。
【発明を実施するための最良の形態】
【００１４】
以下、本発明の一実施形態にかかる情報処理装置を説明する。本発明の一実施形態にかかる情報処理装置は、搬送ローラよりも奥寄りに弾性ローラと滑り部材とのうちの一方を設け、搬送ローラよりも機器本体の外側寄りに他方を設けている。こうすることで、搬送ローラよりも奥寄りと機器本体の外側寄りとの双方に弾性ローラが配置されないので、記録媒体に接触した複数の弾性ローラが、互いに回転数が異なるように回転自在となり、複数の弾性ローラに接触した記録媒体が、機器本体に出し入れされる際に、その移動方向が幅方向に曲がることが可能となる。
【００１５】
また、弾性を有する合成樹脂で構成された弾性ローラと、搬送ローラとの間に記録媒体を挟むので、当該記録媒体が他の部材に擦れて、傷つくことを防止できる。よって、記録媒体を傷つけることなく機器本体の中央に向かって確実に搬送できる。
【００１６】
また、弾性ローラが滑り部材よりも搬送ローラの軸方向の中央寄りに配置しても良い。この場合、記録媒体の中央部が滑り部材に接触しにくくなり、当該記録媒体の特に中央部が擦れて、傷つくことを防止できる。よって、記録媒体が傷つくことを確実に防止できる。
【００１７】
さらに、弾性ローラが、中央部が細く端部が太い搬送ローラに沿うように記録媒体を変形させても良い。この場合、記録媒体の中央部が滑り部材により接触しにくくなり、当該記録媒体の特に中央部が擦れて、傷つくことをより確実に防止できる。また、記録媒体の中央が滑り部材から遠ざかる方向に変形することで、記録媒体の縁部と滑り部材との相対角度がより大きくなり記録媒体の縁部付近が傷つくことをより確実に防止できる。よって、記録媒体が傷つくことをより確実に防止できる。
【００１８】
また、滑り部材が、搬送ローラの軸方向の端に向かうにしたがって突出量が徐々に増加するように形成されても良い。この場合、滑り部材が、記録媒体の中央部に接触せずに外縁に確実に接触することとなる。したがって、当該記録媒体の特に中央部が擦れて、傷つくことをより一層確実に防止でき、記録媒体が傷つくことをより一層確実に防止できる。さらに、滑り部材の突出量に応じて搬送中の記録媒体の姿勢を変化させることができるとともに、搬送ローラと弾性ローラとで挟まれる記録媒体の姿勢が安定するため、機器本体を薄型に構成しても記録媒体が他の部材に擦れて傷つくことを防止できる。
【００１９】
さらに、滑り部材を軸芯回りに回転自在に設けても良い。この場合、記録媒体が滑り部材に接触しても、当該滑り部材が回転して、記録媒体が滑り部材に擦れることを確実に防止できる。したがって、記録媒体が傷つくことをより一層確実に防止できる。
【実施例】
【００２０】
以下、本発明の実施例にかかる情報処理装置の一例としてのＣＤプレーヤ１を、図３ないし図７に基づいて説明する。図３などに示すＣＤプレーヤ１は、移動体としての自動車のインストルメントパネル（以下、インパネと呼ぶ）などに取り付けられて、外径が例えば１２ｃｍや８ｃｍの記録媒体としてのＣＤ２を後述する機器本体３内に収容して、該ＣＤ２に記録された情報を読み出して（再生して）音声として出力する。
【００２１】
なお、ＣＤ２は、勿論、ディスク形に形成されており、特許請求の範囲に記載された記録媒体をなしているとともに、円板状のコンピュータなどの電子機器で情報を読み取り可能な記録媒体である。
【００２２】
ＣＤプレーヤ１は、図３及び図４に示すように、機器本体３（図３などに示す）と、図示しないディスクセンタリング機構と、搬送ユニット５（図７に示す）と、再生ユニット６（図４及び図５に示す）と、図示しない連動機構とを備えている。なお、以下、ＣＤ２の表面と搬送ユニット５のＣＤ２の搬送方向との双方と平行な図３中の矢印ＹをＣＤプレーヤ１の奥行き方向と記し、ＣＤ２の表面と平行でかつ前記奥行き方向Ｙと直交する矢印ＸをＣＤプレーヤ１の幅方向と記し、ＣＤ２の表面と奥行き方向Ｙと幅方向Ｘの全てと直交する矢印ＺをＣＤプレーヤ１の厚み方向と記す。
【００２３】
機器本体３は、外側ケース９（図３に示す）と、シャーシ１０（図４及び図５に示す）とを備えている。外側ケース９は、合成樹脂で構成され、かつ扁平な箱状に形成されている。外側ケース９は、ＣＤプレーヤ１の外殻をなしている。外側ケース９の前述したインパネに取り付けると乗員に相対する前面９ａ（図１に示す）には、ＣＤ２を出し入れ可能な挿入口１１が一つのみ設けられている。なお、前面９ａは、外側ケース９即ちＣＤプレーヤ１がインパネに取り付けられると、該インパネの外側に露出する機器本体３の一つの面である。
【００２４】
挿入口１１は、外側ケース９の外壁を貫通している。挿入口１１は、内側にＣＤ２を通すことができる。挿入口１１を通して、前記ＣＤ２は、外側ケース９則ち機器本体３内に収容されたり、該外側ケース９則ち機器本体３内から排出される。即ち、挿入口１１は、機器本体３の内外を連通して、機器本体３にＣＤ２を出し入れ自在とする。
【００２５】
さらに、前述した前面９ａには、表示パネルとしての蛍光表示管１２と、各種のスイッチ１３とが設けられている。
【００２６】
蛍光表示管１２は、前面９ａに露出して、使用者に対し各種の情報を表示する表示領域としての表示面を備えている。蛍光表示管１２は、表示面に再生中のプログラム名等の情報を表示する。
【００２７】
各種のスイッチ１３は、使用者が操作するための操作部を構成している。スイッチ１３が使用者などに操作されることによって、例えば、再生ユニット６が再生するＣＤ２のプログラムの選択や、このＣＤ２の出し入れなどが行われる。
【００２８】
シャーシ１０は、外側ケース９内に収容されているとともに、該外側ケース９に固定されている。シャーシ１０は、図３に示すように、底板部１４と、天井板１５を備えている。
【００２９】
底板部１４は、薄手の板金が折り曲げられるなどして構成され、かつ凹凸や孔などが形成された平板状に形成された底板と、該底板の外縁から立設した周板１８とを備えている。底板は、外側ケース９の底壁の内面上に重ねられる。周板１８は、三つ設けられ、底板の挿入口１１寄りの外縁を除く当該底板の外縁から立設して設けられている。周板１８は、勿論、外側ケース９の側壁の内面上に重ねられる。
【００３０】
天井板１５は、薄手の板金で構成され、かつ外側ケース９の天井壁の内面に重ねられている。天井板１５は、底板と間隔をあけて配置されている。また、天井板１５は、底板と間隔をあけて相対した状態で底板部１４に固定されている。
【００３１】
ディスクセンタリング機構は、挿入口１１の近傍に配置され、かつ、機器本体３内に収容されている。ディスクセンタリング機構は、挿入口１１を通されて機器本体３内に収容されるＣＤ２を機器本体３の幅方向Ｘの中央に案内する。
【００３２】
搬送ユニット５は、機器本体３内に収容されており、機器本体３の内外にＣＤ２を搬送する。この搬送ユニット５の詳細な構成は、後ほど、説明する。
【００３３】
再生ユニット６は、機器本体３のシャーシ１０内に配置され、かつゴムなどで構成されたダンパによって機器本体３のシャーシ１０に対して移動自在に支持されている。再生ユニット６は、図４及び図５に示すように、クランプアーム１９と、キャリッジシャーシ２０と、回転テーブルと、光ピックアップ部を備えている。
【００３４】
クランプアーム１９は、薄手の板金などで構成され、平板状に形成されている。クランプアーム１９には、円板状のクランパ２１が取り付けられている。
【００３５】
キャリッジシャーシ２０は、薄手の板金などで構成され、平板状に形成されている。クランプアーム１９とキャリッジシャーシ２０は、互いに重ねられて配置されているとともに、クランプアーム１９は天井板１５寄りに配置され、キャリッジシャーシ２０は底板寄りに配置されている。
【００３６】
また、クランプアーム１９とキャリッジシャーシ２０は、挿入口１１から離れた側の縁部を中心として互いに回転自在に連結されている。クランプアーム１９とキャリッジシャーシ２０は、前述した縁部を中心として回転することで、互いに接離する（近づいたり離れる）。
【００３７】
回転テーブルは、機器本体３の中央に配置され、かつクランパ２１と厚み方向Ｚに沿って間隔をあけて配置されている。回転テーブルは、キャリッジシャーシ２０に取り付けられた図示しないスピンドルモータによって、回転駆動される。回転テーブルは、クランパ２１との間にＣＤ２を挟む。そして、回転テーブルは、クランパ２１との間にＣＤ２を挟んで、スピンドルモータによって回転されることで、ＣＤ２とともに回転される。
【００３８】
光ピックアップ部は、回転テーブルに接離自在にキャリッジシャーシ２０に設けられている。光ピックアップ部は、回転テーブルに接離することで、ＣＤ２の所望の位置から情報を読み出す。
【００３９】
前述した再生ユニット６は、クランプアーム１９とキャリッジシャーシ２０とが互いに近づいて、搬送ユニット５によって機器本体３内に挿入されたＣＤ２をキャリッジシャーシ２０とクランパ２１との間に挟んで、当該ＣＤ２を回転テーブルが回転させて、当該ＣＤ２の情報を光ピックアップ部が読み出して再生する。
【００４０】
連動機構は、挿入口１１を通してＣＤ２を機器本体３に出し入れする際には、クランプアーム１９とキャリッジシャーシ２０とを互いに離し、搬送ユニット５の後述するローラアーム２３とディスクガイド２４とを互いに近づける。また、連動機構は、機器本体３内に収容されたＣＤ２の情報を読み出す際には、クランプアーム１９とキャリッジシャーシ２０とを互いに近づけ、搬送ユニット５のローラアーム２３とディスクガイド２４とを互いに離す。このように、連動機構は、搬送ユニット５のローラアーム２３及びディスクガイド２４と、再生ユニット６のクランプアーム１９及びキャリッジシャーシ２０の移動を連動させる。
【００４１】
搬送ユニット５は、図６及び図７に示すように、駆動源としてのモータ２２と、ローラアーム２３（図７中に一部のみ示す）と、ディスクガイド２４とを備えている。モータ２２は、機器本体３のシャーシ１０に取り付けられている。
【００４２】
ローラアーム２３は、帯板状に形成されたアーム本体と、搬送ローラ２５とを備えている。アーム本体は、その長手方向が前述した幅方向Ｘと平行に配置されている。アーム本体は、その一端部を中心としてシャーシ１０の底板に回転自在に支持されている。アーム本体の回転中心は、前述した幅方向Ｘと平行である。
【００４３】
搬送ローラ２５は、ゴムなどの弾性を有する合成樹脂で構成された円筒状のローラ本体２６と、該ローラ本体２６内に通された円柱状の芯軸２７とを備えている。ローラ本体２６と芯軸２７は、互いに固定されている。ローラ本体２６即ち搬送ローラ２５は、その軸方向の中央部が最も細く形成されかつ軸方向の端に向かうにしたがって徐々に太くなるように、テーパ状に形成されている。
【００４４】
芯軸２７は、その長手方向が幅方向Ｘと平行に配置されて、アーム本体の他端部に回転自在に支持されている。搬送ローラ２５は、モータ２２の駆動力によってその軸芯回りに回転される。
【００４５】
ディスクガイド２４は、図６に示すように、平板状に形成されたガイド本体２８と、弾性ローラ２９と、滑り部材としての滑りローラ３０とを備えている。ガイド本体２８は、薄手の板金などで構成されて帯板状に形成されている。ガイド本体２８は、ローラアーム２３と厚み方向Ｚに沿って間隔をあけて配置され、かつシャーシ１０の天井板１５に取り付けられている。ガイド本体２８は、その長手方向が幅方向Ｘと平行に配置されている。
【００４６】
弾性ローラ２９は、図示例では、二つ設けられている。これらの弾性ローラ２９は、機器本体３の幅方向Ｘ即ちＣＤ２の出し入れ方向に対して直交する方向でかつ搬送ローラ２５の軸方向に沿って、互いに間隔をあけて配置されている。また、図示例ではこれら二つの弾性ローラ２９は、ＣＤ２の出し入れ方向Ｋ（機器本体３にＣＤ２を出し入れする際に、このＣＤ２が移動する方向であり、図６中に矢印で示す）に対して直交する方向でかつ搬送ローラ２５の軸方向に沿って、並べられている。また、これら二つの弾性ローラ２９は、機器本体３の幅方向の中央部に配置されている。さらに、これら二つの弾性ローラ２９は、機器本体３の平面視において、搬送ローラ２５よりも挿入口１１寄り即ち機器本体３の外側寄りに配置されている。
【００４７】
弾性ローラ２９は、それぞれ、弾性を有する合成樹脂で構成された円筒状のローラ本体３１と、該ローラ本体３１内に通された円柱状の芯軸３２とを備えている。弾性ローラ２９は、搬送ローラ２５よりも遥かに短く形成されている。ローラ本体３１と芯軸３２は、互いに固定されている。ローラ本体３１即ち弾性ローラ２９は、その軸方向が搬送ローラ２５の軸方向即ちＣＤ２の出し入れ方向Ｋと直交している。さらに、ローラ本体３１即ち弾性ローラ２９の軸方向は、機器本体３の幅方向Ｘと平行である。
【００４８】
芯軸３２は、その長手方向が幅方向Ｘと平行に配置されて、ガイド本体２８に回転自在に支持されている。
【００４９】
弾性ローラ２９は、搬送ローラ２５との間にＣＤ２を挟む。そして、弾性ローラ２９は、搬送ローラ２５が回転してＣＤ２が移動すると、該ＣＤ２の外表面上で滑ることなくこのＣＤ２の移動とともに軸芯回りに回転する。
【００５０】
さらに、弾性ローラ２９は、搬送ローラ２５との間に挟むＣＤ２が該搬送ローラ２５の外形に沿って湾曲するように、ガイド本体２８から搬送ローラ２５に向かって突出している。このように、弾性ローラ２９は、ガイド本体２８から搬送ローラ２５に向かって突出していることで、搬送ローラ２５に沿うようにＣＤ２を変形させる位置に配置されている。
【００５１】
滑りローラ３０は、図示例では、二つ設けられている。これらの滑りローラ３０は、機器本体３の幅方向Ｘ即ちＣＤ２の出し入れ方向に対して直交する方向でかつ搬送ローラ２５の軸方向に沿って、互いに間隔をあけて配置されている。また、図示例ではこれら二つの滑りローラ３０は、ＣＤ２の出し入れ方向Ｋに対して直交する方向でかつ搬送ローラ２５の軸方向に沿って、並べられている。また、これら二つの滑りローラ３０は、機器本体３の幅方向Ｘの両端部に配置されている。このため、弾性ローラ２９は、滑りローラ３０よりも機器本体３の幅方向Ｘ即ち搬送ローラ２５の軸方向の中央寄りに配置されている。さらに、これら二つの滑りローラ３０は、機器本体３の平面視において、搬送ローラ２５よりも挿入口１１から離れた側即ち機器本体３の奥寄りに配置されている。
【００５２】
滑りローラ３０は、硬質（殆ど弾性しない又は全く弾性変形しない）な合成樹脂で構成された円筒状のローラ本体３３と、該ローラ本体３３内に通された円柱状の芯軸とを備えている。滑りローラ３０は、搬送ローラ２５よりも遥かに短くかつ弾性ローラ２９よりも長く形成されている。ローラ本体３３と芯軸は、互いに固定されている。
【００５３】
ローラ本体３３即ち滑りローラ３０は、その外径が機器本体３の幅方向Ｘの端に向かうにしたがって徐々に太くなるように、テーパ状に形成されている。ローラ本体３３即ち滑りローラ３０は、その軸方向が搬送ローラ２５の軸方向即ちＣＤ２の出し入れ方向Ｋと直交している。さらに、ローラ本体３３即ち滑りローラ３０の軸方向は、機器本体３の幅方向Ｘと平行である。即ち、滑りローラ３０の軸芯は、搬送ローラ２５の軸方向と平行である。
【００５４】
芯軸は、その長手方向が幅方向Ｘと平行に配置されて、ガイド本体２８に回転自在に支持されている。即ち、滑りローラ３０は、搬送ローラ２５の軸方向と平行な軸芯回りに回転自在に設けられている。
【００５５】
また、滑りローラ３０は、その外周面がガイド本体２８よりも搬送ローラ２５に向かって突出する位置に配置されている。滑りローラ３０は、前述したようにテーパ状に形成されることで、搬送ローラ２５の軸方向の端に向かうにしたがってガイド本体２８から搬送ローラ２５に向かって突出する突出量が徐々に大きくなるように形成されている。
【００５６】
さらに、滑りローラ３０は、搬送ローラ２５との間にＣＤ２を挟む。そして、滑りローラ３０は、搬送ローラ２５が回転してＣＤ２が移動すると、該ＣＤ２の外表面上で滑りながら、このＣＤ２の移動とともに軸芯回りに回転する。
【００５７】
前述した構成の搬送ユニット５は、ローラアーム２３がその一端部を中心としてシャーシ１０に対して回転することで、ローラアーム２３の他端部即ち搬送ローラ２５とディスクガイド２４とが互いに接離自在に設けられている。搬送ユニット５は、ローラアーム２３に回転自在に支持された搬送ローラ２５とディスクガイド２４とが互いに近づいて、ディスクガイド２４の弾性ローラ２９及び滑りローラ３０と搬送ローラ２５との間にＣＤ２を挟み込んで、搬送ローラ２５がモータ２２に回転駆動されることで、ＣＤ２を機器本体３に出し入れする。即ち、搬送ローラ２５は、機器本体３の内外にＣＤ２を搬送する。この際、弾性ローラ２９は、搬送ローラ２５に向かってＣＤ２を押し付けて、搬送ローラ２５に沿うようにＣＤ２を変形させる。
【００５８】
搬送ユニット５は、ＣＤ２の両表面と平行な方向でかつ奥行き方向Ｙと平行な出し入れ方向Ｋ（図６中に矢印で示す）に沿って、該ＣＤ２を機器本体３に出し入れする。また、搬送ユニット５は、再生ユニット６がＣＤ２をクランプして該ＣＤ２の情報を読み取る際に、ローラアーム２３とディスクガイド２４とが互いに離れて、再生ユニット６の動作を妨げることがない。このように、搬送ユニット５は、機器本体３の内外にＣＤ２を搬送する。
【００５９】
前述した構成のＣＤプレーヤ１は、連動機構が搬送ユニット５のディスクガイド２４とローラアーム２３とを互いに近づけかつクランプアーム１９とキャリッジシャーシ２０とを互いに離して、機器本体３にＣＤ２を出し入れする。また、ＣＤプレーヤ１は、機器本体３にＣＤ２が収容されると、連動機構が搬送ユニット５のディスクガイド２４とローラアーム２３とを互いに離しかつクランプアーム１９とキャリッジシャーシ２０とを互いに近づけて、再生部でＣＤ２の情報を読み出す。
【００６０】
本実施例によれば、搬送ローラ２５よりも機器本体３の奥寄りに滑りローラ３０を設け、搬送ローラ２５よりも機器本体３の外側寄りに弾性ローラ２９を設けている。このため、搬送ローラ２５よりも奥寄りと機器本体３の外側寄りとの双方に弾性ローラ２９が配置されないので、ＣＤ２に接触した複数の弾性ローラ２９が、互いに回転数が異なるように回転自在となる。このため、複数の弾性ローラ２９に接触したＣＤ２が、機器本体３に出し入れされる際に、その移動方向が幅方向Ｘに曲がることが可能となる。
【００６１】
また、弾性を有する合成樹脂で構成されたローラ本体３１を備えた弾性ローラ２９と、搬送ローラ２５との間にＣＤ２を挟むので、当該ＣＤ２が他の部材に擦れて、傷つくことを防止できる。よって、ＣＤ２を傷つけることなく機器本体３の中央に向かって確実に搬送できる。
【００６２】
また、弾性ローラ２９が滑りローラ３０よりも搬送ローラ２５の軸方向の中央寄りに配置されているので、ＣＤ２の中央部が滑りローラ３０に接触しにくくなり、当該ＣＤ２の特に中央部が擦れて、傷つくことを防止できる。よって、ＣＤ２が傷つくことを確実に防止できる。
【００６３】
さらに、弾性ローラ２９が、中央が細く端が太い搬送ローラ２５に沿うようにＣＤ２を変形させる位置に配置されている。このため、ＣＤ２の中央部が滑りローラ３０により接触しにくくなり、当該ＣＤ２の特に中央部が擦れて、傷つくことをより確実に防止できる。また、ＣＤ２の中央が滑りローラ３０から遠ざかる方向に変形することで、ＣＤ２の縁部と滑りローラ３０との相対角度がより大きくなりＣＤ２の縁部付近が傷つくことをより確実に防止できる。よって、ＣＤ２が傷つくことをより確実に防止できる。
【００６４】
また、滑りローラ３０が、搬送ローラ２５の軸方向の端に向かうにしたがってガイド本体２８からの突出量が徐々に増加するように形成されている。このため、滑りローラ３０が、ＣＤ２の中央部に接触せずに外縁に確実に接触することとなる。したがって、当該ＣＤ２の特に中央部が擦れて、傷つくことをより一層確実に防止でき、ＣＤ２が傷つくことをより一層確実に防止できる。さらに、滑りローラ３０の突出量に応じて搬送中のＣＤ２の姿勢を変化させることができるとともに、搬送ローラ２５と弾性ローラ２９とで挟まれるＣＤ２の姿勢が安定するため、機器本体３を薄型に構成してもＣＤ２が他の部材に擦れて傷つくことを防止できる。
【００６５】
さらに、滑りローラ３０を軸芯回りに回転自在に設けている。このため、ＣＤ２が滑りローラ３０に接触しても、当該滑りローラ３０が回転して、ＣＤ２が滑りローラ３０に擦れることを確実に防止できる。したがって、ＣＤ２が傷つくことをより一層確実に防止できる。
【００６６】
前述した実施例では、機器本体３の平面視において、搬送ローラ２５よりも機器本体３の奥寄りに滑り部材としての滑りローラ３０を設け、搬送ローラ２５よりも機器本体３の外側寄りに弾性ローラ２９を設けている。しかしながら、本発明では、図９に示すように、搬送ローラ２５よりも機器本体３の外側寄りに滑り部材としての滑りローラ３０を設け、搬送ローラ２５よりも機器本体３の奥寄りに弾性ローラ２９を設けても良い。なお、図９において、前述した実施例と同一部分には、同一符号を付して、説明を省略する。
【００６７】
また、前述した実施例では、滑り部材として、ディスクガイド２４のガイド本体２８に回転自在に設けられた滑りローラ３０を用いている。しかしながら、本発明では、図８（ａ）、図８（ｂ）及び図８（ｃ）に示すように、滑り部材として、ガイド本体２８に対して回転してない滑りリブ３４を用いても良い。なお、図８において、前述した実施例と同一部分には、同一符号を付して説明を省略する。
【００６８】
図８に示す場合では、滑りリブ３４を、ガイド本体２８から搬送ローラ２５に向かって凸に形成して、該ガイド本体２８と一体に形成している。滑りリブ３４は、図示例では、二つ設けられて、前述した実施例と同様に、搬送ローラ２５の軸方向即ちＣＤ２の出し入れ方向Ｋに対して直交する方向に沿って並べられている。また、滑りリブ３４は、搬送ローラ２５の軸方向即ちＣＤ２の出し入れ方向Ｋに対して直交する方向に沿って直線状に形成され、搬送ローラ２５の軸方向の端に向かうにしたがって徐々にガイド本体２８からの突出量が増加するように、テーパ状に形成されている。
【００６９】
前述した実施例では、記録媒体として、ディスク形記録媒体としてのＣＤ２を示している。しかしながら、本発明では、例えば、記録媒体としてのＭＤ（Mini Disc）、ＤＶＤ（Digital VersatileDisc）などの他の記録媒体を用いても良い。また、本発明では、ディスク形に限らず種々の形状の記録媒体を用いても良い。
【００７０】
また、前述した実施例では、記録媒体から情報を読み出す（情報を再生する）ＣＤプレーヤ１を示している。しかしながら、本発明では、記録媒体から情報を読み出す情報処理装置に限ることなく、例えば、情報を記録媒体に記録する記録装置や、情報の再生及び記録を行う情報記録再生装置としても適用可能しても良い。
【００７１】
なお、前述した実施例は本発明の代表的な形態を示したに過ぎず、本発明は、実施例に限定されるものではない。即ち、本発明の骨子を逸脱しない範囲で種々変形して実施することができる。
【００７２】
前述した実施例によれば、以下のＣＤプレーヤ１が得られる。
【００７３】
（付記）  機器本体３と、
前記機器本体３内にＣＤ２を出し入れする搬送ユニット５とを備えたＣＤプレーヤ１において、
前記搬送ユニット５は、
モータ２２からの駆動力により回転駆動される搬送ローラ２５と、
前記搬送ローラ２５との間に前記ＣＤ２を位置付けて、前記ＣＤ２を案内するディスクガイド２４と、を備え、
前記ディスクガイド２４が、
弾性を有する合成樹脂で構成されかつ前記ＣＤ２の外表面と接触して当該ＣＤ２の移動とともに回転する弾性ローラ２９と、硬質な合成樹脂で構成されかつ前記ＣＤ２の外表面と接触して当該ＣＤ２の外周面に対して滑る滑りローラ３０と、を備え、
前記機器本体３の平面視において、前記搬送ローラ２５よりも前記機器本体３の奥寄りに前記弾性ローラ２９と前記滑りローラ３０とのうち一方が設けられ、前記搬送ローラ２５よりも前記機器本体３の外側寄りに前記弾性ローラ２９と前記滑りローラ３０とのうち他方が設けられていることを特徴とするＣＤプレーヤ１。
【００７４】
付記に記載のＣＤプレーヤ１は、搬送ローラ２５よりも機器本体３の奥寄りに滑りローラ３０を設け、搬送ローラ２５よりも機器本体３の外側寄りに弾性ローラ２９を設けている。このため、搬送ローラ２５よりも奥寄りと機器本体３の外側寄りとの双方に弾性ローラ２９が配置されないので、ＣＤ２に接触した複数の弾性ローラ２９が、互いに回転数が異なるように回転自在となる。このため、複数の弾性ローラ２９に接触したＣＤ２が、機器本体３に出し入れされる際に、その移動方向が幅方向Ｘに曲がることが可能となる。
【００７５】
また、弾性を有する合成樹脂で構成されたローラ本体３１を備えた弾性ローラ２９と、搬送ローラ２５との間にＣＤ２を挟むので、当該ＣＤ２が他の部材に擦れて、傷つくことを防止できる。よって、ＣＤ２を傷つけることなく機器本体３の中央に向かって確実に搬送できる。
【図面の簡単な説明】
【００７６】
【図１】（ａ）は従来の情報処理装置としてのＣＤプレーヤの搬送ユニットの正面を模式的に示す説明図であり、（ｂ）は図１（ａ）に示された搬送ユニットの側面を模式的に示す説明図である。
【図２】（ａ）は従来の情報処理装置としてのＣＤプレーヤの他の搬送ユニットの正面を模式的に示す説明図であり、（ｂ）は図２（ａ）に示された搬送ユニットの側面を模式的に示す説明図であり、（ｃ）は図２（ａ）に示された搬送ユニットの平面を模式的に示す説明図である。
【図３】本発明の一実施例にかかる情報処理装置としてのＣＤプレーヤの外観を示す斜視図である。
【図４】図３に示されたＣＤプレーヤの主要構成部分を示す斜視図である。
【図５】図４に示されたＣＤプレーヤの平面図である。
【図６】図５に示されたＣＤプレーヤの搬送ユニットのディスクガイドの平面図である。
【図７】（ａ）は図５に示されたＣＤプレーヤの搬送ユニットの正面を模式的に示す説明図であり、（ｂ）は図７（ａ）に示された搬送ユニットの側面を模式的に示す説明図であり、（ｃ）は図７（ａ）に示された搬送ユニットの平面を模式的に示す説明図である。
【図８】（ａ）は本発明のＣＤプレーヤの搬送ユニットの変形例の正面を模式的に示す説明図であり、（ｂ）は図８（ａ）に示された搬送ユニットの側面を模式的に示す説明図であり、（ｃ）は図８（ａ）に示された搬送ユニットの平面を模式的に示す説明図である。
【図９】本発明のＣＤプレーヤの搬送ユニットの他の変形例の平面を模式的に示す説明図である。
【符号の説明】
【００７７】
１  ＣＤプレーヤ（情報処理装置）
２  ＣＤ（記録媒体）
３  機器本体
５  搬送ユニット（搬送部）
２２  モータ（駆動源）
２４  ディスクガイド
２５  搬送ローラ
２９  弾性ローラ
３０  滑りローラ（滑り部材）
【図１】
2008269740.tif 000003
【図２】
2008269740.tif 000004
【図３】
2008269740.tif 000005
【図４】
2008269740.tif 000006
【図５】
2008269740.tif 000007
【図６】
2008269740.tif 000008
【図７】
2008269740.tif 000009
【図８】
2008269740.tif 000010
【図９】
2008269740.tif 000011